(57)【要約】      （修正有）【課題】磁気吸着による扉の閉鎖保持力を簡単且つ容易に調整可能とする。【解決手段】防災機器として消火器が収納される収納箱は、筐体の開口に開閉自在な消火器扉３８が設けられる。筐体の開口枠４６には、磁気吸着面を外側に向けてマグネットキャッチ４８が配置され、消火器扉３８側には閉鎖位置でマグネットキャッチ４８の磁気吸着面５６に吸着される磁気吸着受け面５２の一部に抜き穴５４が形成された板状のマグネット受け部材５０が配置される。マグネットキャッチ４８は、位置調整機構により開口枠４６に位置調整自在に配置されており、マグネット受け部材５０の抜き穴５４に相対する磁気吸着面５６の面積を変更するようスライド穴６８に沿って位置調整することで、磁気吸着による消火器扉の閉鎖保持力を調整可能とする。【選択図】図４
2018130210.tif 000002
【特許請求の範囲】
【請求項１】
筐体の開口に開閉自在な扉が設けられ、前記筐体内に所定の防災機器が収納される収納箱に於いて、
前記筐体の開口枠に、磁気吸着面を外側に向けて配置されたマグネットキャッチと、
前記扉に設けられ、前記扉の閉鎖位置で前記マグネットキャッチの前記磁気吸着面に吸着される磁気吸着受け面を有する板状のマグネット受け部材と、
前記マグネット受け部材に相対する前記磁気吸着面の面積を変更するように、前記マグネットキャッチを前記筐体の開口枠に位置調整自在に配置する位置調整機構と、
が設けられたことを特徴とする収納箱。
【請求項２】
筐体の開口に開閉自在な扉が設けられ、前記筐体内に所定の防災機器が収納される収納箱に於いて、
前記扉に磁気吸着面を内側に向けて配置されたマグネットキャッチと、
前記開口の開口枠に設けられ、前記扉の閉鎖位置で前記マグネットキャッチの前記磁気吸着面に吸着される磁気吸着受け面を有する板状のマグネット受け部材と、
前記マグネット受け部材に相対する前記磁気吸着面の面積を変更するように、前記マグネットキャッチを前記扉に位置調整自在に配置する位置調整機構と、
が設けられたことを特徴とする収納箱。
【請求項３】
請求項１又は２記載の収納箱に於いて、
前記マグネット受け部材は前記磁気吸着受け面の一部に抜き穴が形成され、
前記位置調整機構は前記マグネット受け部材の前記抜き穴に相対する前記磁気吸着面の面積を変更するように、前記マグネットキャッチを位置調整自在に配置することを特徴とする収納箱。
【請求項４】
請求項１又は２記載の収納箱に於いて、
前記マグネットキャッチは、箱型ケースの底部両端に通し穴が形成された取付片が延在され、前記箱型ケース内に永久磁石とヨーク板が収納され、前記ヨーク板の上端は前方の前記磁気吸着面に突出されており、
前記位置調整機構は、
前記マグネットキャッチに相対する前記開口枠の裏面側に配置された挟み板部材と、
前記開口枠に前記マグネットキャッチの位置調整方向に向かう長穴として形成されたスライド穴と、
前記箱型ケースの前記取付片の前記通し穴及び前記開口枠の前記スライド穴を介して前記挟み込み板部材にねじ込んで締め付け固定するねじ部材と、
を有することを特徴とする収納箱。
【請求項５】
請求項１又は２記載の収納箱に於いて、
前記マグネット受け部材の前記抜き穴を矩形としたことを特徴とする収納箱。
【請求項６】
請求項１又は２記載の収納箱に於いて、前記筐体内に消火器が収納された消火器箱として構成されたことを特徴とする収納箱。
【発明の詳細な説明】
【技術分野】
【０００１】
本発明は、筐体の開口に開閉自在な扉が設けられ、筐体内に消火器等の防災機器が収納される収納箱に関する。
【背景技術】
【０００２】
従来、高速道路や自動車専用道路などのトンネル内に設置する消火栓装置は、開閉自在な消火栓扉を備えた筐体の消火栓収納部に、先端にノズルを装着したホースとバルブ類が収納され、また、開閉自在な消火器扉を備えた消火器収納部に例えば２本の消火器が収納されている。
【０００３】
火災を伴う車両事故が発生した場合には、事故車両の運転者等の利用者は、例えば、消火器収納部の消火器扉を開いて消火器を取り出して初期消火等の消火作業を行うことができる。
【０００４】
消火器収納部に設けられた消火器扉は、例えば、マグネットキャッチを用いた閉鎖機構により、磁気吸着力により消火器扉を閉鎖状態に保持しており、消火器を使用する際には、消火器扉の設けられたハンドルに手を入れて手前に引くことで、磁気吸着が解除され、簡単かつ容易に消火器扉を開いて消火器を取り出すことができる。
【先行技術文献】
【特許文献】
【０００５】
【特許文献１】特開２０１６−０５５０７３号公報
【特許文献２】特開２００１−２５０７１４号公報
【発明の概要】
【発明が解決しようとする課題】
【０００６】
しかしながら、このような従来の消火栓装置におけるマグネットキャッチを用いた消火器扉の閉鎖機構にあっては、筐体開口枠側にマグネットキャッチを取付け、これに相対した消火器扉側に磁気吸着受けプレートを取付ることで、消火器扉を閉鎖位置に吸着保持させているが、消火器扉及び筐体開口枠の寸法のばらつき等により、消火器扉を閉鎖した際のマグネットキャッチと磁気吸着受けプレートの間隔がばらつき、所定の閉鎖保持力を得ることができない場合がある。
【０００７】
このような場合には、マグネットキャッチの下側に調整用のプレートを入れて下駄をはかせることで位置を調整しているが、手間と時間がかかり、また、磁気吸着力が段階的にしか調整できないため、精度の高い閉鎖保持力の調整ができず、例えば、振動試験を行った場合に、試験振動に耐えられずに消火器扉が開いてしまうといった不具合がある。
【０００８】
このような問題は消火栓装置の消火器扉に限らず、マグネットキャッチを用いた屋内設置される消火器箱や適宜の防災機器を収納した収納箱でも同様となる。
【０００９】
本発明は、磁気吸着による扉の閉鎖保持力を簡単且つ容易に調整可能とする防災機器を収納した収納箱を提供することを目的とする。
【課題を解決するための手段】
【００１０】
（第１発明の収納箱）
本発明は、筐体の開口に開閉自在な扉が設けられ、筐体内に所定の防災機器が収納される収納箱に於いて、
筐体の開口枠に、磁気吸着面を外側に向けて配置されたマグネットキャッチと、
扉に設けられ、扉の閉鎖位置でマグネットキャッチの前記磁気吸着面に吸着される磁気吸着受け面を有する板状のマグネット受け部材と、
マグネット受け部材に相対する磁気吸着面の面積を変更するように、マグネットキャッチを前記筐体の開口枠に位置調整自在に配置する位置調整機構と、
が設けられたことを特徴とする。
【００１１】
（第２発明の収納箱）
本発明の他の形態にあっては、筐体の開口に開閉自在な扉が設けられ、筐体内に所定の防災機器が収納される収納箱に於いて、
扉に磁気吸着面を内側に向けて配置されたマグネットキャッチと、
開口の開口枠に設けられ、扉の閉鎖位置で前記マグネットキャッチの磁気吸着面に吸着される磁気吸着受け面を有する板状のマグネット受け部材と、
マグネット受け部材に相対する磁気吸着面の面積を変更するように、マグネットキャッチを前記扉に位置調整自在に配置する位置調整機構と、
が設けられたことを特徴とする。
【００１２】
（マグネット受け部材の抜き穴）
マグネット受け部材は磁気吸着受け面の一部に抜き穴が形成され、
位置調整機構はマグネット受け部材の抜き穴に相対する磁気吸着面の面積を変更するように、マグネットキャッチを位置調整自在に配置する。
【００１３】
（マグネットキャッチと位置調整機構）
マグネットキャッチは、箱型ケースの底部両端に通し穴が形成された取付片が延在され、箱型ケース内に永久磁石とヨーク板が収納され、ヨーク板の上端は前方の磁気吸着面に突出されており、
位置調整機構は、
マグネットキャッチに相対する開口枠の裏面側に配置された挟み込み板部材と、
開口枠にマグネットキャッチの位置調整方向に向かう長穴として形成されたスライド穴と、
箱型ケースの取付片の通し穴及び開口枠のスライド穴を介して挟み込み板部材にねじ込んで締め付け固定するねじ部材と、
を備える。
【００１４】
（矩形の抜き穴）
マグネット受け部材の抜き穴を矩形とする。
【００１５】
（消火器箱）
筐体内に消火器が収納された消火器箱として構成される。
【発明の効果】
【００１６】
（第１発明の収納箱による基本的な効果）
本発明は、筐体の開口に開閉自在な扉が設けられ、筐体内に所定の防災機器が収納される収納箱に於いて、筐体の開口枠に、磁気吸着面を外側に向けて配置されたマグネットキャッチと、扉に設けられ、扉の閉鎖位置でマグネットキャッチの前記磁気吸着面に吸着される磁気吸着受け面を有する板状のマグネット受け部材と、マグネット受け部材に相対する磁気吸着面の面積を変更するように、マグネットキャッチを前記筐体の開口枠に位置調整自在に配置する位置調整機構とが設けられため、マグネット受け部材に相対する磁気吸着面の面積を減少させるように位置調整することで、磁気吸着面と磁気吸着受け部材の相対する面積が増加して吸着保持力を強くすることができ、一方、マグネット受け部材に相対する磁気吸着面の面積を増加させるように位置調整することで、磁気吸着面と磁気吸着受け部材の相対する面積が減少して吸着保持力を弱くすることができ、磁気吸着による扉の閉鎖保持力を簡単且つ容易に最適な状態に調整可能とする。
【００１７】
（第２発明の収納箱による基本的な効果）
本発明の他の形態にあっては、扉にマグネットキャッチを設け、開口枠にマグネット受け部材を設けている点で第１発明と相違するが、その効果は前述した第１発明と基本的に同じになる。
【００１８】
（マグネット受け部材の抜き穴による効果）
また、マグネット受け部材は磁気吸着受け面の一部に抜き穴が形成され、位置調整機構はマグネット受け部材の抜き穴に相対する磁気吸着面の面積を変更するように、マグネットキャッチを位置調整自在に配置するようにしたため、磁気吸着面の抜き穴に対し磁気吸着面が露出する度合から磁気吸着力の変化を推定することが可能となり、磁気吸着力の調整が簡単且つ容易にできる。
【００１９】
（マグネットキャッチと位置調整機構の効果）
また、マグネットキャッチは、箱型ケースの底部両端に通し穴が形成された取付片が延在され、箱型ケース内に永久磁石とヨーク板が収納され、ヨーク板の上端は前方の磁気吸着面に突出されており、位置調整機構は、マグネットキャッチに相対する開口枠の裏面側に配置された挟み込み板部材と、開口枠にマグネットキャッチの位置調整方向に向かう長穴として形成されたスライド穴と、箱型ケースの取付片の通し穴及び開口枠のスライド穴を介して挟み込み板部材にねじ込んで締め付け固定するねじ部材とが設けられたため、マグネットキャッチの位置調整は、挟み板部材への締め込みでマグネットキャッチを開口枠に固定しているねじ部材を緩めることで、開口枠のスライド穴に沿ってマグネットキャッチが移動可能となり、最適な閉鎖保持力が得られる位置に調整し、調整位置でねじ部材を締め込んで固定すればよく、マグネットキャッチを取り外す必要がないことから、簡単且つ容易に磁気吸着による閉鎖保持力が調整できる。
【００２０】
（矩形の抜き穴）
また、マグネット受け部材の抜き穴を矩形としたため、マグネットキャッチの移動量に対する磁気吸着力の変化が概ね比例した関係となり、マグネットキャッチをどの程度移動したら磁気吸着力がどの程度増減するかが把握しやすく、閉鎖保持力の調整作業を容易にする。
【００２１】
（消火器箱による効果）
また、筐体内に消火器が収納された消火器箱として構成された場合、例えばトンネル用の消火器箱とした場合の振動試験をクリアするための閉鎖保持力の調整が簡単且つ適切にできる。
【図面の簡単な説明】
【００２２】
【図１】消火器収納部に消火器扉が設けられた消火栓装置の実施形態を示した説明図
【図２】図１の消火器扉を開いた状態を示した説明図
【図３】マグネットキャッチとマグネット受け板を用いた消火器扉の閉鎖保持機構を示した説明図
【図４】マグネットキャッチの位置調整による閉鎖保持力の調整状態を３段階に分けて示した説明図
【発明を実施するための形態】
【００２３】
［消火栓装置の概要］
図１は消火器収納部に消火器扉が設けられた消火栓装置の実施形態を示した説明図、図２は図１の消火器扉を開いた状態を示した説明図である。
【００２４】
図１に示すように、消火栓装置１０は、消火栓側と消火器側に筐体１２−１，１２−２を分割した構造であり、前面に分割した化粧板１４−１，１４−２を各々装着し、筐体１２−１，１２−２に対し必要な機器及び部材を組付けた後に連結固定し、この状態でトンネル現場に搬入して架台１１上に設置している。
【００２５】
右側の化粧板１４−１の扉開口部１６は上下に２分割し、下側扉開口部にヒンジ１８により下向きに開く前傾式の消火栓扉２０が配置され、上側扉開口部にヒンジ２２により上向きに開く保守扉として機能する上扉２４が配置され、その内部にノズル付きのホースと消火栓弁を含むバルブ類が収納部されている。
【００２６】
扉開口部１６の左側には、ヒンジ２６により右に横開きする電装品扉２８が設けられ、ここに赤色表示灯３０、発信機（手動通報装置）３２及び応答ランプ３４が設けられ、また電装品扉２８の内側には電話ジャックが設けられている。
【００２７】
電装品扉２８の左側には、ヒンジ３６により左に横開きする消火器扉３８が設けられ、内部に２本の消火器を収納可能としている。消火器扉３８は扉閉鎖保持機構４０により閉鎖位置に保持されており、扉右端の略中央に設けたハンドル４２を手前に引くことで、磁気吸着による閉鎖保持を解除して消火器扉３８を左側に開くことができる。また、消火器扉３８の下側には覗き窓４４が設けられ、外部から消火器の収納状態の有無を確認可能としている。
【００２８】
消火器扉３８に設けられた扉閉鎖保持機構４０は、消火器扉３８を開いた図２に示すように、電装品扉２８の右側縦方向に窪み形成された開口枠４６に配置されたマグネットキャッチ４８と、消火栓扉３８の内側に配置されたマグネット受け部材５０により構成される。
【００２９】
［扉閉鎖保持機構の第１実施形態］
図３はマグネットキャッチとマグネット受け板を用いた消火器扉の扉閉鎖保持機構の第１実施形態を示した説明図であり、第１発明に対応する。ここで、図３（Ａ）は磁気吸着受け部材を備えた消火器扉の断面を示し、図３（Ｂ）は磁気吸着受け部材が配置された消火器扉の内側を示し、図３（Ｃ）はマグネットキャッチが配置された開口枠の部分を示し、図３（Ｄ）はマグネットキャッチが配置された開口枠の部分を断面で示している。
【００３０】
（マグネット受け部材）
図３（Ａ）（Ｂ）に示すように、マグネット受け部材５０は、図２に示したように、開放された状態で消火器扉３８の内側左端に固定されており、鉄板等の磁性材料で作られた縦長の矩形プレート部材であり、内側にフラットなマグネット受け面５２が形成されており、このマグネット受け面５２の上側に矩形の抜き穴５４が形成されている。
【００３１】
（マグネットキャッチと位置調整機構）
図３（Ｃ）（Ｄ）に示すように、電装品扉２８の左端縦方向に窪み形成された開口枠４６には、磁気吸着面５６を外側に向けてマグネットキャッチ４８が配置されている。マグネットキャッチ４８は、箱型ケース５８の底部両端に通し穴６２が形成された取付片６０が延在され、箱型ケース５８内に永久磁石とヨーク板６４が収納され、ヨーク板６４の上端は前方の磁気吸着面５６に３枚ずつ上下に分かれて突出されている。
【００３２】
マグネットキャッチ４８は位置調整機構により消火器扉３８側に配置されたマグネット受け部材５０の抜き穴５４に対する磁気吸着面５６の面積を変更するように、開口枠４６に高さ方向で位置調整自在に配置されている。
【００３３】
マグネットキャッチ４８の位置調整機構は、マグネットキャッチ４８に相対する開口枠４６の裏面側に配置された挟み込み板部材６６と、開口枠４６にマグネットキャッチ４８の位置調整方向となる高さ方向に向かう長穴として上下両側に形成された一対のスライド穴６８と、箱型ケース５８の取付片６０の通し穴及び開口枠４６のスライド穴６８を介して挟み込み板部材６６にねじ込んで締め付け固定する２本のねじ部材７０とで構成される。
【００３４】
位置調整機構によるマグネットキャッチ４８の位置調整は、挟み込み板部材６６に締め込むことでマグネットキャッチ４８を固定しているねじ部材７０を緩めると、スライド穴６８に沿ってマグネットキャッチ４８が裏側の挟み込み板部材６６と共に上下方向に移動可能となり、スライド穴６８に対するスライド範囲で適宜の位置に移動し、移動した位置でねじ部材７０を締め込むことで、所望の調整位置に固定できる。
【００３５】
この場合、ねじ部材７０をマグネットキャッチ４８がスライドできるように緩めるだけで良く、マグネットキャッチ４８を開口枠４６から取り外す必要がなく、このためマグネットキャッチ４８の位置調整が簡単且つ容易にできる。
【００３６】
（位置調整機構による閉鎖保持力の調整）
図４はマグネットキャッチの位置調整による閉鎖保持力の調整状態を３段階に分けて示した説明図であり、図４（Ａ）は閉鎖保持力を最大とした場合を示し、図４（Ｂ）は閉鎖保持力を中程度とした場合を示し、図４（Ｃ）は閉鎖保持力を最小とした場合を示す。
【００３７】
図４（Ａ）は、開口枠４６のマグネットキャッチ４８を消火器扉３８のマグネット受け部材５０に対し、ねじ部材７０がスライド穴６８の下端に当たる下限位置に移動して固定した状態であり、この下限位置でマグネットキャッチ４８の外側の磁気吸着面５６の上下のヨーク板６４がマグネット受け部材５０に形成された矩形の抜き穴５４に位置せず、ヨーク板６４がマグネット受け面５２に全て位置することで磁気吸着範囲７２が最大となり、最大の磁気吸着力が発生し、消火器扉３８の閉鎖保持力が最大に調整できる。
【００３８】
図４（Ｃ）は、開口枠４６のマグネットキャッチ４８を消火器扉３８のマグネット受け部材５０に対し、ねじ部材７０がスライド穴６８の上端に当たる上限位置に移動して固定した状態であり、この上限位置でマグネットキャッチ４８の外側の磁気吸着面５６の上側半分のヨーク板６４がマグネット受け部材５０に形成された矩形の抜き穴５４に位置して磁気吸着力が発生しておらず、マグネットキャッチ４８の外側の磁気吸着面５６の下側半分のヨーク板６４がマグネット受け部材５０の磁気吸着受け面５２に位置して磁気吸着力が発生している。このため図４（Ａ）に示した最大の磁気吸着力に対し、図４（Ｃ）の場合は、概ね半分となる最小の磁気吸着範囲７６となり、最小の磁気吸着力に低下させており、消火器扉３８の閉鎖保持力が最小に調整できる。
【００３９】
図４（Ｂ）は、開口枠４６のマグネットキャッチ４８を消火器扉３８のマグネット受け部材５０に対し、ねじ部材７０がスライド穴６８の真ん中付近となるように移動して固定した状態であり、この位置でマグネットキャッチ４８の外側の磁気吸着面５６の上側のヨーク板６４の上半分がマグネット受け部材５０に形成された矩形の抜き穴５４に位置して磁気吸着力が発生しておらず、磁気吸着範囲７４により図４（Ａ）に示した最大の磁気吸引力と図４（Ｃ）に示した最小の磁気吸引力の中間程度の磁気吸引力となり、この磁気吸引力に対応した消火器扉３８の閉鎖保持力に調整できる。
【００４０】
［扉閉鎖保持機構の第２実施形態］
本発明による消火器扉における扉閉鎖保持機構の第２実施形として、図３に示した第１実施形態とは逆に、マグネットキャッチ４８の磁気吸着面５６を内側に向けて消火器扉３８の内側に配置し、磁気吸着受け面５２の一部に抜き穴５４が形成された板状のマグネット受け部材５０を開口枠４６に配置し、位置調整機構により開口枠４６に配置されたマグネット受け部材５０の抜き穴５４に相対するマグネットキャッチ４８の磁気吸着面５６の面積を変更するように、マグネットキャッチ４８を消火器扉３８に位置調整自在に配置する。
【００４１】
この場合にも、図４に示した第１実施形態の場合と同様に、マグネット受け部材５０の抜き穴５４に相対するマグネットキャッチ４８の磁気吸着面の面積を減少させるように位置調整することで磁気吸着による扉閉鎖保持力を強くすることができ、一方、マグネット受け部材５０の抜き穴５４に相対するマグネットキャッチ４８の磁気吸着面５６の面積を増加させるように位置調整することで磁気吸着による閉鎖保持力を弱くすることができ、磁気吸着による扉の閉鎖保持力を簡単且つ容易に最適な状態に調整可能とする。
【００４２】
［本発明の変形例］
上記の実施形態は、マグネット受け部材に抜き穴を設け、マグネット受け部材の抜き穴に相対する磁気吸着面の面積を変更するようにマグネットキャッチを位置調整しているが、マグネット受け部材に抜き穴を設けず、マグネットキャッチの磁気吸着面がマグネット受け部材の相対する面から外れるように位置調整することで、磁気吸着面積を変更するようにしても良い。
【００４３】
また、マグネット受け部材を設置する場所、例えば扉の素材が鋼板等の磁気吸着部材であった場合、扉に設けるマグネット受け部材の板厚を適切に設定することで、マグネットキャッチによる磁気吸着力がマグネット受け部材を設置する場所の素材に及ばない距離とすることができ、磁気吸着部材にマグネット受け部材を配置していても、それに影響されることなく磁気吸着力を調整することができる。
【００４４】
上記の実施形態にあっては、マグネット受け部材を固定し、マグネットキャッチを位置調整機構により位置調整自在に設けているが、これに限定されない。例えばマグネットキャッチを固定し、マグネット受け部材を位置調整機構又は両面テープ等により位置調整自在に設けても良い。
【００４５】
このようにマグネット受け部材を位置調整機構により位置調整自在とする構成は、前述した第２実施形態では、消火器扉に位置調整機構を備えたマグネットキャッチを配置しているが、消火器扉にはマグネットキャッチを固定し、開口枠に位置調整機構を備えたマグネット受け部材を配置することで、扉閉鎖保持構造がより簡単に実現できる。
【００４６】
また、上記の実施形態は、消火栓装置に一体に設けられた消火器収納部の消火器扉を例にとっているが、トンネル内に単独で設置される消火器箱についても適用でき、更に、ビル等の屋内に設置されている消火器箱や消火栓収納箱などの適宜の防災機器が収納された収納箱に適用できる。
【００４７】
また、本発明は、その目的と利点を損なうことのない適宜の変形を含み、更に上記の実施形態に示した数値による限定は受けない。
【符号の説明】
【００４８】
１０：消火栓装置
１１：架台
１６：扉開口部
１８，２２，２６，３６：ヒンジ
２０：消火栓扉
２４：上扉
２８：電装品扉
３５：消火器収納部
３８：消火器扉
４０：扉閉鎖保持機構
４２：ハンドル
４４：覗き窓
４６：開口枠
４８：マグネットキャッチ
５０：マグネット受け部材
５２：マグネット受け面
５４：抜き穴
５６：磁気吸着面
５８：箱型ケース
６０：取付片
６２：通し穴
６４：ヨーク板
６６：挟み込み板部材
６８：スライド穴
７０：ねじ部材
【図１】
2018130210.tif 000003
【図２】
2018130210.tif 000004
【図３】
2018130210.tif 000005
【図４】
2018130210.tif 000006